(57)【要約】  【課題】被照射面の照度を略一定とするために設定する照度センサの出力値の目標値を自動的に設定でき且つレイアウト変更などによって被照射面の反射率が変化しても被照射面の照度を略一定に保つことができる照明器具を提供する。  【解決手段】増幅回路１３と、中央処理部１４と、調光制御部１５とで制御部を構成する。中央処理部１４は、電源投入毎に、調光制御部１５に指示して光源１１の光出力を変化させて光源１１の光出力のない状態での照度センサ１２の出力値および光源１１の光出力がある状態での照度センサ１２の出力値に基づいて被照射面に対する外光がない状態における光源１１の光出力比と照度センサ１２の出力値との対応関係を求め当該対応関係に基づいて所定の光出力比に対応する目標値を設定してから、照度センサ１２の出力値が目標値となるように光源１１の光出力を制御する。【選択図】      図１
2005243314.tif 000002
【特許請求の範囲】
【請求項１】
光源と、光源により照明される被照射面の照度を反射光により測定する照度センサと、照度センサの出力値に基づいて被照射面の照度が一定になるように光源の光出力を制御する制御部とを備え、制御部は、電源投入毎に光源の光出力を変化させて光源の光出力のない状態での照度センサの出力値および光源の光出力のある状態での照度センサの出力値に基づいて被照射面に対する外光がない状態における光源の光出力比と照度センサの出力値との対応関係を求め当該対応関係に基づいて所定の光出力比に対応する目標値を設定してから、照度センサの出力値が目標値となるように光源の光出力を制御することを特徴とする照明器具。
【請求項２】
前記光源が累積点灯時間に応じて光出力と消費電力との関係が変わるものであり、前記所定の光出力比は、前記光源の経年変化によらず前記被照射面の照度を一定とすることができるように前記光源の累積点灯時間と光束減退率との関係に基づいて設定されてなることを特徴とする請求項１記載の照明器具。
【請求項３】
前記制御部は、前記電源が投入されてから前記対応関係を求めるまでの過程において、前記光源を光出力のない状態に制御して前記照度センサの出力値を読み込んでから、前記光源を光出力のある状態に制御して前記照度センサの出力値を読み込み、前記対応関係を求めることを特徴とする請求項１または請求項２記載の照明器具。
【請求項４】
前記照度センサが前記被照射面からの反射光の光量に応じたアナログの電圧値を出力するものであり、前記制御部は、前記照度センサの出力を増幅するゲインを複数段階で可変な増幅回路と、増幅回路の出力値をディジタル値に変換するＡ−Ｄコンバータと、Ａ−Ｄコンバータから出力されたディジタル値に基づいて前記目標値の設定を行う機能を有する中央処理部とを備え、中央処理部は、前記電源が投入されてから前記対応関係を求めるまでの過程において、前記光源の光出力のない状態および前記光源の光出力のある状態それぞれについて増幅回路のゲインを全段階に変化させて増幅回路の出力値を読み込み、増幅回路の出力値がＡ−Ｄコンバータの入力の上限値を越えない範囲で最大値となるように増幅回路のゲインを選択することを特徴とする請求項１ないし請求項３のいずれかに記載の照明器具。
【発明の詳細な説明】
【技術分野】
【０００１】
本発明は、照明器具に関するものである。
【背景技術】
【０００２】
従来より、オフィスなどで天井に設置される照明器具の光源であるランプによる被照射面の照度を一定に保つ目的で、図８に示すように、照明器具１による被照射面からの反射光で被照射面の照度を測定する照度センサ３を備えるコントローラ２を照明器具１とは別体として天井に設置し、照度センサ３による検出照度が一定の目標照度に保たれるようにランプの光出力を調節するための調光制御信号をコントローラ２から照明器具１へ伝送するようにした照明装置が知られている（例えば、特許文献１、２参照）。
【０００３】
図８に示す構成の照明装置における照度センサ３は、被照射面からの反射光の光量に応じた電圧値（アナログ信号）を出力するものであり、コントローラ２は、ランプの光出力を定格の１００％とした時の照度センサ３の出力値とランプの光出力を定格の２５％とした時の照度センサ３の出力値とに基づいて、昼光などの外光による被照射面の照度およびランプを定格の１００％で点灯させた時の照明器具１のみによる被照射面の照度を求め、後者の照度に対応する照度センサ３の出力値の７０％の値を目標照度に対応する目標値として設定した後、照度センサ３の出力値が設定値になるように調光制御信号を出力するようになっている。要するに、図８に示す構成の照明装置では、上述のような過程で目標値を設定していることにより、外光の影響を受けることなく目標値を設定することができ、被照射面の照度をほぼ一定に保つことができるのである。
【特許文献１】特開平１１−２１４１７９号公報
【特許文献２】特開２００１−３４５１８６号公報
【発明の開示】
【発明が解決しようとする課題】
【０００４】
ところで、上述の照明装置では、目標値の設定が照明器具１の設置時に行われた後で、オフィスのレイアウト変更などにより被照射面の反射率が変わった場合、レイアウト変更前後で被照射面の照度が変わってしまうという不具合があった。例えば、レイアウト変更前の被照射面の照度と照度センサ３の出力値（センサ電圧）とが図９の直線イのような関係にあり、レイアウト変更により被照射面の反射率が１０％上昇した場合、被照射面の照度と照度センサ３の出力値との関係が図９の直線ロのように変化する。すなわち、照度センサ３の出力値は被照射面の照度に比例しているが、被照射面の反射率の違いにより直線イ，ロの傾きが変化する。ここに、レイアウト変更前の被照射面の目標照度が７００ｌｘであり、被照射面の照度が７００ｌｘの時のセンサ電圧（つまり、目標値）が３．５Ｖであった場合に、レイアウト変更により被照射面の反射率が１０％上昇すると、被照射面の照度が７００ｌｘの時のセンサ電圧も１０％程度大きな値（３．５×１．１＝３．８５Ｖ）となる。しかしながら、上述の照明装置では、レイアウトが変更されても目標値の変更が行われないので、照度センサ３の出力値がレイアウト変更前の目標値である３．５Ｖになるようにランプの光出力が制御されることになり、被照射面の照度がレイアウト変更前よりも１０％程度暗くなる（７００÷１．１＝６３６ｌｘ）ように制御されてしまう。逆にレイアウト変更により被照射面の反射率が１０％低下した場合には、被照射面の照度が１０％程度明るくなるように制御されてしまう。なお、実環境では、床、壁、天井などの反射率の影響を相互に受けるので、上述のような単純な計算で求められるものではないことは勿論である。
【０００５】
また、上述の照明装置では、光源であるランプの光出力を１００％とした時の照度センサ３の出力値とランプの光出力を２５％とした時の照度センサ３の出力値とに基づいてランプの光出力が０％の時の照度センサ３の出力値（つまり、外光の影響による照度センサ３の出力値）を計算により求めているが、光出力が１００％あるいは２５％の時の照度センサ３の出力値に何らかの理由により誤差が生じた場合、計算により求めるランプの光出力が０％の時の照度センサ３の出力値にも誤差が生じてしまい、目標値が変更されないままとなってしまう。
【０００６】
本発明は上記事由に鑑みて為されたものであり、その目的は、被照射面の照度を略一定とするために設定する照度センサの出力値の目標値を自動的に設定でき且つレイアウト変更などによって被照射面の反射率が変化しても被照射面の照度を略一定に保つことができる照明器具を提供することにある。
【課題を解決するための手段】
【０００７】
請求項１の発明は、光源と、光源により照明される被照射面の照度を反射光により測定する照度センサと、照度センサの出力値に基づいて被照射面の照度が一定になるように光源の光出力を制御する制御部とを備え、制御部は、電源投入毎に光源の光出力を変化させて光源の光出力のない状態での照度センサの出力値および光源の光出力のある状態での照度センサの出力値に基づいて被照射面に対する外光がない状態における光源の光出力比と照度センサの出力値との対応関係を求め当該対応関係に基づいて所定の光出力比に対応する目標値を設定してから、照度センサの出力値が目標値となるように光源の光出力を制御することを特徴とする。
【０００８】
この発明によれば、制御部が、光源の光出力のない状態での照度センサの出力値と光源の光出力のある状態での照度センサの出力値とに基づいて被照射面に対する外光がない状態における光源の光出力比と照度センサの出力値との対応関係を求め当該対応関係に基づいて所定の光出力比に対応する目標値を設定するので、外光があっても、自動的に外光がない状態での光源の光出力比と照度センサの出力値との対応関係が正確に求められて目標値が設定され、しかも、電源投入毎に上記対応関係が求められて目標値が設定されるので、レイアウト変更などによって被照射面の反射率が変化しても被照射面の照度が変化するのを防止することができ、被照射面の照度を略一定に保つことができる。
【０００９】
請求項２の発明は、請求項１の発明において、前記光源が累積点灯時間に応じて光出力と消費電力との関係が変わるものであり、前記所定の光出力比は、前記光源の経年変化によらず前記被照射面の照度を一定とすることができるように前記光源の累積点灯時間と光束減退率との関係に基づいて設定されてなることを特徴とする。
【００１０】
この発明によれば、前記光源の経年変化により前記光源の光束が減少しても、前記被照射面の照度を略一定に保つことができる。
【００１１】
請求項３の発明は、請求項１または請求項２の発明において、前記制御部は、前記電源が投入されてから前記対応関係を求めるまでの過程において、前記光源を光出力のない状態に制御して前記照度センサの出力値を読み込んでから、前記光源を光出力のある状態に制御して前記照度センサの出力値を読み込み、前記対応関係を求めることを特徴とする。
【００１２】
この発明によれば、電源が投入されて前記対応関係を求める過程では、前記光源を光出力のない状態に制御してから光出力のある状態に制御するから、電源投入後に前記光源の光出力によって室内が明るくなってから室内が一旦暗くなるというようなことがなく、在室者に通常の点灯時と代わらない印象を与えることができ、不快感を感じさせないようにできる。
【００１３】
請求項４の発明は、請求項１ないし請求項３の発明において、前記照度センサが前記被照射面からの反射光の光量に応じたアナログの電圧値を出力するものであり、前記制御部は、前記照度センサの出力を増幅するゲインを複数段階で可変な増幅回路と、増幅回路の出力値をディジタル値に変換するＡ−Ｄコンバータと、Ａ−Ｄコンバータから出力されたディジタル値に基づいて前記目標値の設定を行う機能を有する中央処理部とを備え、中央処理部は、前記電源が投入されてから前記対応関係を求めるまでの過程において、前記光源の光出力のない状態および前記光源の光出力のある状態それぞれについて増幅回路のゲインを全段階に変化させて増幅回路の出力値を読み込み、増幅回路の出力値がＡ−Ｄコンバータの入力の上限値を越えない範囲で最大値となるように増幅回路のゲインを選択することを特徴とする。
【００１４】
この発明によれば、電源投入毎に増幅回路のゲインが設定されることになり、Ａ−Ｄコンバータの入力値が最適となるように増幅回路のゲインが設定されるので、前記照度センサの出力値の分解能を高めることができ、周囲の照度の変動に対して前記光源の光出力をきめ細かく制御することができる。
【発明の効果】
【００１５】
請求項１の発明では、被照射面の照度を略一定とするために設定する照度センサの出力値の目標値を自動的に設定でき且つレイアウト変更などによって被照射面の反射率が変化しても被照射面の照度を適切な照度に保つことができるという効果がある。
【発明を実施するための最良の形態】
【００１６】
（実施形態１）
以下、本実施形態の照明器具Ａについて図１および図２を参照しながら説明する。
【００１７】
本実施形態の各照明器具Ａは、照度センサ（光量センサ）１２を一体に備え、図２に示すようにオフィスなどの天井Ｂに取り付けられるものであって、照度センサ１２は照明器具Ａの直下の床面などの被照射面Ｆからの反射光の光量に対応した電圧値（アナログ信号）を出力するものである。ここにおいて、照度センサ１２には、照明器具Ａから出力された光の被照射面Ｆでの反射光以外に、オフィスの窓を通して入り込む昼光などの外光の被照射面Ｆでの反射光も入射される。
【００１８】
照明器具Ａは、被照射面Ｆを照明する光源１１と、光源１１の光出力を調節する調光制御部１５と、被照射面Ｆの照度を反射光により検出する上述の照度センサ１２と、照度センサ１２の出力を増幅する増幅回路１３と、照度センサ１２による検出照度を一定（一定の目標照度）に保つための調光信号を調光制御部１５へ与える中央処理部１４と、中央処理部１４にて用いるデータ（目標照度に対応する目標値や、目標値を設定するために必要なデータなど）を格納する書換可能なメモリ１６とを備えている。ここにおいて、光源１１は、光出力の調節が可能なものであればよく、例えば、ハロゲン電球、白熱電球、蛍光灯などを用いることができる。なお、本実施形態では、中央処理部１４と増幅回路１３と調光制御部１５とで、照度センサ１２の出力値に基づいて被照射面Ｆの照度が一定になるように光源１１の光出力を制御する制御部を構成している。
【００１９】
ところで、中央処理部１４は、照明器具Ａの電源投入毎に所定の光出力比（光源１１の定格の光出力に対する光源１１から出力させる光出力の割合）に対応する目標値を設定してから、増幅回路１３の出力が目標値となるように作成した調光信号を調光制御部１５へ与えることで光源１１の光出力をフィードバック制御する。
【００２０】
中央処理部１４での目標値の基本的な設定手順について説明するが、以下では増幅回路１３から出力される電圧をセンサ電圧と呼ぶことにする。
【００２１】
照明器具Ａの電源が投入されると、中央処理部１４は第１ステップとしてメモリ１６に格納されている目標値をリセットする。つまり、電源投入前にメモリ１６に格納されていた目標値は消去される。
【００２２】
次に、中央処理部１４は、第２ステップとして、光源１１の光出力を定格の０％（つまり、光出力比を０％）とするように作成した調光信号を調光制御部１５へ与えた後で、増幅回路１３から入力したセンサ電圧Ｖ０をメモリ１６に記憶させる。要するに、第２ステップでは、光源１１が点灯していない状態で照度センサ１２により測定した被照射面Ｆの照度（つまり、外光による光照射面Ｆの照度）をメモリ１６に記憶させている。
【００２３】
その後、中央処理部１４は、第３ステップとして、光源１１の光出力を定格の１００％（つまり、光出力比を１００％）とするように作成した調光信号を調光制御部１５へ与えた後で、増幅回路１３から入力したセンサ電圧Ｖ１をメモリ１６に記憶させる。要するに、第３ステップでは、外光がある状態で光源１１を定格点灯させた時に照度センサ１２により測定した被照射面Ｆの照度をメモリ１６に記憶させている。
【００２４】
さらにその後、中央処理部１４は、第４ステップとして、メモリ１６に格納されているセンサ電圧Ｖ１，Ｖ０を読み出し、外光のない状態において光源１１の光出力比を１００％（光源１１の光出力を定格の１００％）とした時のセンサ電圧Ｖ１’をＶ１’＝Ｖ１−Ｖ０の演算により計算し、センサ電圧Ｖ１’をメモリ１６に記憶させる。
【００２５】
続いて、中央処理部１４は、第５ステップとして、センサ電圧Ｖ１’に所定の掛率αを乗じたαＶ１’を所定の光出力比に対応する目標値（つまり、αを所定の光出力比として当該所定の光出力比に対応する目標値をαＶ１’）として設定しメモリ１６に記憶させる。
【００２６】
中央処理部１４では、上述の目標値の設定が終了すると、増幅回路１３から入力されるセンサ電圧が目標値αＶ１’に近づくように調光制御部１５を介して光源１１の光出力をフィードバック制御する。すなわち、中央処理部１４は、センサ電圧が目標値よりも低ければ光源１１の調光率（光出力比）を上げるような調光信号を作成し、センサ電圧が目標値よりも高ければ光源１１の調光率を下げるような調光信号を作成する。
【００２７】
上述の光出力比とセンサ電圧との対応関係をまとめると図３のようになる。図３は、横軸が光出力比、縦軸がセンサ電圧である。ここにおいて、図３中の直線イは上述の第２ステップで光出力比を０％とした時のセンサ電圧Ｖ０と第３ステップで光出力比を１００％とした時のセンサ電圧Ｖ１との２点から求めた直線であって外光がある場合の光出力比とセンサ電圧との対応関係を示し、直線ロは第４ステップで計算により求めたセンサ電圧Ｖ１’と第５ステップで求めたセンサ電圧αＶ１’との２点から求めた直線（つまり、センサ電圧αＶ１’を光出力比がαのときのセンサ電圧として求めた直線）であって外光がない場合の光出力比とセンサ電圧との対応関係を示している。なお、上述の直線イは、光源１１の光出力比を０％と１００％との２段階で変化させているが、２段階に限らず、最低２段階であればよい。
【００２８】
ところで、光源１１がハロゲン電球や白熱電球（白熱灯）である場合、光源１１の寿命を通じて光束がほとんど変わらない（光源１１の経年変化による光束の低下がほとんどない）ので、上述の掛率αとして、例えば、照明設計時に使用する保守率を採用すればよい。なお、一般的に、屋内照明に使われ光源として白熱灯を用いた露出形の照明器具の場合、保守率は０．８８が使用される。ここに、保守率は、一般的に、「照明施設内である期間使用した後の作業面上の平均照度／同一の照明条件下における初期照度」として定義されている。
【００２９】
また、中央処理部１４は、マイクロコンピュータを主構成とするものであり、増幅回路１３の出力値をディジタル値に変換（つまり、アナログ−ディジタル変換）するＡ−Ｄコンバータを内部に備えているが、Ａ−Ｄコンバータの入力の上限値が５Ｖとなっており、光源１１の光出力を定格の１００％とした時の電圧が低いほど分解能が低くなり、１ビット当たりの明るさ（照度）が大きくなってしまう。そこで、増幅回路１３としてゲインを複数段階（本実施形態では、５段階）で可変なものを用いており、上述の第３ステップにおいて光出力比を１００％とした時のセンサ電圧が５Ｖを超えない範囲で５Ｖに近い値となるように増幅回路１３内のゲインを選択するようにしてある。
【００３０】
具体的に説明すれば、増幅回路１３は５つゲインを選択可能となっており、中央処理部１４は、上述の第２ステップにおいて、光源１１の光出力比を０％とした状態で、増幅回路１３のゲインを順次変更させ、各ゲインで増幅されたセンサ電圧をそれぞれＶ０１、Ｖ０２、Ｖ０３、Ｖ０４、Ｖ０５としてメモリ１６に記憶させる。
【００３１】
また、中央処理部１４は、上述の第３ステップにおいて、光源１１の光出力比を１００％とした状態で、増幅回路１３のゲインを順次変更させ、各ゲインで増幅されたセンサ電圧をそれぞれＶ１１、Ｖ１２、Ｖ１３、Ｖ１４、Ｖ１５としてメモリ１６に記憶させる。
【００３２】
ここにおいて、光出力比とセンサ電圧との対応関係が図４のようになり、増幅回路１３を５つのゲインＧ１，Ｇ２，Ｇ３，Ｇ４，Ｇ５のうち最も大きなゲインＧ１とした時の対応関係が同図中のＣ１、２番目に大きなゲインＧ２とした時の対応関係が同図中のＣ２、３番目に大きなゲインＧ３とした時の対応関係が同図中のＣ３、４番目に大きなゲインＧ４とした時の対応関係が同図中のＣ４、５番目に大きなゲインＧ５とした時の対応関係が同図中のＣ５であるとすれば、光出力比が１００％の場合のセンサ電圧Ｖ１として、５Ｖを超えない範囲で最大値となるセンサ電圧Ｖ１３をセンサ電圧Ｖ１として記憶する。
【００３３】
そして、中央処理部１４は、第４ステップにおいて、センサ電圧Ｖ０，Ｖ１としてセンサ電圧Ｖ０３，Ｖ１３を読み出して、外光のない状態において光源１１の光出力を定格の１００％とした時のセンサ電圧Ｖ１’をＶ１’＝Ｖ１−Ｖ０の演算により計算し、センサ電圧Ｖ１’をメモリ１６に記憶させる。
【００３４】
以上説明した本実施形態の照明器具Ａでは、電源投入時に上述の目標値の設定作業が照明器具Ａで自動的に行われるので、一般的なオフィスであれば、ほぼ毎日、目標値の設定が行われる。したがって、本実施形態の照明器具Ａでは、外光があっても、自動的に外光がない状態での光源１１の光出力比と照度センサ１２の出力値との対応関係が正確に求められて目標値が設定され、しかも、電源投入毎に上記対応関係が求められて目標値が設定されるので、レイアウト変更などによって被照射面Ｆの反射率が変化しても被照射面Ｆの照度が変化するのを防止することができ、被照射面Ｆの照度を略一定に保つ（適切な照度に保つ）ことができる。
【００３５】
また、本実施形態の照明器具Ａでは、電源が投入されてから上記対応関係を求めるまでの過程において、光源１１を光出力のない状態に制御して照度センサ１２の出力値を読み込んでから、光源１１を光出力のある状態に制御して照度センサ１２の出力値を読み込み、上記対応関係を求めるので、電源投入後に光源１１の光出力によって室内が明るくなってから室内が一旦暗くなるというようなことがなく、在室者に通常の点灯時と代わらない印象を与えることができ、不快感を感じさせないようにできる。
【００３６】
（実施形態２）
ところで、図８に示した従来構成の照明装置では、目標照度が光源の光出力比を定格の７０％とした時の照度に設定されており、仮に照明器具１の設置後に目標照度の設定を行い、１日程度で目標照度の変更を行った場合であれば、光源を定格で点灯させた時の光源の光束および被照射面の照度に差がないが、光源が蛍光灯のように累積点灯時間に応じて光出力と消費電力との関係が変わる光源であるとすると、累積点灯時間が数千時間に達した後に設定変更を行った場合には点灯初期に比べて光源の光束が大きく低下しているので、目標照度が設定変更前よりも低くなってしまう。なお、このように累積点灯時間が数千時間に達した後での目標照度が点灯初期での目標照度よりも低くなる現象は実施形態１の照明器具Ａにおいても発生する。
【００３７】
これに対して、図７は蛍光灯を光源とする一般的な照明器具に関して、累積点灯時間によらず消費電力を一定とした場合の累積点灯時間による照度の変化（光源の光束の変化）を説明する図であり、横軸が光源の累積点灯時間、縦軸が初期照度に対する照度の比および定格消費電力に対する消費電力の比となっている。蛍光灯を光源とする一般的な照明器具では、光源の光束が累積点灯時間の増加に伴って光束減退曲線に従って低下し、光源の寿命末期では光束が初期光束の７０％程度まで低下する。したがって、寿命末期の照度を設計照度として照明器具の配置設計を行った場合、被照射面の照度が点灯初期では過剰に大きくなってしまう。
【００３８】
本実施形態の照明器具Ａの基本構成は実施形態１と同じであって、実施形態１にて説明した第４ステップにおいてセンサ電圧Ｖ１’に乗じる掛率（つまり、所定の光出力比）αを、累積点灯時間と光束減退率との関係に応じて変化させる点に特徴がある。要するに、本実施形態では、所定の光出力比が、光源１１の経年変化によらず被照射面Ｆの照度を一定の目標照度とすることができるように光源１１の累積点灯時間と光束減退率との関係に基づいて設定されるようになっている。
【００３９】
上述の特徴となる点について図５の例を参照しながら説明する。図５は蛍光灯からなる光源１１の光出力比と被照射面Ｆの照度との対応関係を示した図であって、同図中の直線イは点灯初期における対応関係を示し、同図中の直線ロは累積点灯時間が２０００時間経過した後の対応関係を示す。図５では、点灯初期において光出力比を１００％とした時の被照射面Ｆの照度が１０００ｌｘであるとき、目標照度を点灯初期において所定の光出力比を７０％とした時の照度とすれば（つまり、上述の掛率αを０．７とすれば）、被照射面Ｆの照度は７００ｌｘ（＝１０００×０．７）となる。また、累積点灯時間が２０００時間後の光束減退率が１０％であるとした場合、光出力比を１００％とした時の被照射面Ｆの照度は９００ｌｘ（＝１０００×０．９）に低下することになる。ここにおいて、所定の光出力比（つまり、掛率α）が一定（つまり、０．７）であれば、目標照度は６３０ｌｘ（＝９００×０．７）となり、点灯初期に設定した目標照度よりも１０％低下してしまう。これに対して、目標照度を点灯初期と同様に７００ｌｘにするためには、所定の光出力比（つまり、掛率α）を７８％（＝７００÷９００）にすればよい。要するに、累積点灯時間の増加に伴う光束減退率の増加（定格での光束の減少）に応じて、光束減退率によらず目標照度が一定になるように所定の光出力比を増加すればよい。
【００４０】
したがって、仮に、被照射面Ｆの反射率が光源１１の点灯初期から寿命末期まで一定であるような場合、図５の直線の傾きは光源１１の累積点灯時間の増加とともに小さくなる一方で、消費電力は図６のイに示すように増加していくので、αＶ１’を光源１１の寿命末期まで略一定に保つことができるから、図６のロに示すように被照射面Ｆの照度を一定に保つことができるのである。
【００４１】
しかして、本実施形態の照明器具Ａでは、所定の光出力比が、光源１１の経年変化によらず被照射面Ｆの照度を一定の目標照度とすることができるように光源１１の累積点灯時間と光束減退率との関係に基づいて設定され、この所定の光出力比
対応する目標値が設定されるので、光源１１の経年変化により光源１１の定格点灯での光束が減少しても、被照射面Ｆの照度を略一定に保つことができる。
【図面の簡単な説明】
【００４２】
【図１】実施形態１を示すブロック図である。
【図２】同上の設置例の説明図である。
【図３】同上の動作説明図である。
【図４】同上の動作説明図である。
【図５】実施形態２の動作説明図である。
【図６】同上の特性説明図である。
【図７】一般的な照明器具の特性説明図である。
【図８】従来例を示す照明装置の概略構成図である。
【図９】同上の動作説明図である。
【符号の説明】
【００４３】
Ａ  照明器具
１１  光源
１２  照度センサ
１３  増幅回路
１４  中央処理部
１５  調光制御部
１６  メモリ
【図１】
2005243314.tif 000003
【図２】
2005243314.tif 000004
【図３】
2005243314.tif 000005
【図４】
2005243314.tif 000006
【図５】
2005243314.tif 000007
【図６】
2005243314.tif 000008
【図７】
2005243314.tif 000009
【図８】
2005243314.tif 000010
【図９】
2005243314.tif 000011